(57)【要約】【課題】ユーザのゴルフショットの特性を解析するシステムの構成を簡易化する。【解決手段】カメラ１１の撮像面の下半分には、ゴルフショットが行われるエリアである撮像エリア３からの光を直接入射させ、カメラ１１の撮像面の上半分には、第１ミラー１２、第２ミラー１３の順に反射した撮像エリア３からの光が入射させることにより、カメラ１１が撮影した画像１００として、カメラ１１の位置から直接観察した撮像エリア３の画像を下半分に、第１ミラー１２の位置から観察した撮像エリア３の画像を上半分に含む画像を生成する。これにより、単一のカメラ１１を用いて、撮像エリア３を異なる複数の方向から撮影することができる。【選択図】図２
2019054951.tif 000002
【特許請求の範囲】
【請求項１】
ゴルフショットを撮影するゴルフショット撮影装置であって、
撮像面に結像された画像を撮影するカメラと、
当該カメラの撮像面の第１の領域に、ゴルフショットが行われるエリアである撮像エリアを第１の方向から観察した像を結像し、前記カメラの撮像面の前記第１の領域と異なる領域である第２の領域に、前記撮像エリアを前記第１の方向と異なる方向である第２の方向から観察した像を結像する光学系とを有することを特徴とするゴルフショット撮影装置。
【請求項２】
ゴルフショットを撮影するゴルフショット撮影装置であって、
撮像面に結像された画像を撮影するカメラと、
光路変更光学系を備え、
前記カメラは、当該カメラに直接入射する、ゴルフショットが行われるエリアである撮像エリアの像が、当該カメラの撮像面の第１の領域に結像するように配置されており、
前記光路変更光学系は、前記カメラの位置と異なる位置に入射する、前記撮像エリアの像の光路を、当該像が、前記カメラの撮像面の前記第１の領域と異なる領域である前記第２の領域に結像するように変更することを特徴とするゴルフショット撮影装置。
【請求項３】
請求項１または２記載のゴルフショット撮影装置であって、
前記第１の領域は前記撮像面の下半分の領域と上半分の領域とのうちの一方の領域であり、前記第２の領域は前記撮像面の下半分の領域と上半分の領域とのうちの前記第１の領域でない方の領域であることを特徴とするゴルフショット撮影装置。
【請求項４】
ゴルフショットによるゴルフボールの挙動の属性を計測するゴルフショット解析システムであって、
ゴルフショットが行われるエリアである前記撮像エリアを所定の波長帯の光で照明する照明装置と、
前記撮像エリアの前記所定の波長帯の光による像のみを撮影するカメラと、
前記カメラが１フレームの画像を撮影する期間をフレーム期間として、前記照明装置が、第１のフレーム期間に、フレーム期間の終了直前のタイミングでの照明の点灯を行い、前記第１のフレーム期間の直後のフレーム期間である第２のフレーム期間に、フレーム期間の開始直後のタイミングでの照明の点灯を行うように前記照明装置を制御する照明制御手段と、
前記第１のフレーム期間に前記カメラが撮影した画像に含まれるゴルフボールの像と、その直後の、前記第２のフレーム期間に前記カメラが撮影した画像に含まれるゴルフボールの像との相違に基づいて、ゴルフボールのスピンを計測するスピン計測部とを有することを特徴とするゴルフショット解析システム。
【請求項５】
請求項４記載のゴルフショット解析システムであって、
前記カメラによって１フレーム期間離れたフレーム期間に撮影された画像に含まれるゴルフボールの像の位置の相違に基づいて、前記ゴルフボールの移動速度と移動方向を計測する移動計測部を有することを特徴とするゴルフショット解析システム。
【請求項６】
ゴルフショットによるゴルフボールのスピンを計測するゴルフショット解析システムであって、
水平、かつ、ゴルフボールの軌道がストレートであると見なす方向を前後方向、水平かつ前記前後方向と垂直な方向を左右方向として、ゴルフショットのようすを、左右方向から撮影するカメラと、
前記カメラが撮影した画像から、前記ゴルフボールの表面上の複数の部分の前後方向の移動速度の垂直方向の分布において、正の移動速度の分布範囲と負の移動速度の分布範囲の境界となる垂直方向の座標を算定し、算定した座標から前記ゴルフボールの回転軸の、前記左右方向からの前記前後方向の軸回りの傾きを算定する回転軸傾斜算定手段とを有することを特徴とするゴルフショット解析システム。
【請求項７】
ゴルフショットによるゴルフボールのスピンを計測するゴルフショット解析システムであって、
水平、かつ、ゴルフボールの軌道がストレートであると見なす方向を前後方向、水平かつ前記前後方向と垂直な方向を左右方向、前記前後方向と前記左右方向とに垂直な方向を上下方向として、ゴルフショットのようすを、左右方向から撮影するカメラと、
前記カメラが撮影した画像から、前記ゴルフボールの表面上の複数の部分の前後方向の移動速度の垂直方向の分布において、正の移動速度の分布範囲と負の移動速度の分布範囲の境界となる垂直方向の座標と、前記ゴルフボールの表面上の複数の部分の垂直方向の移動速度の前後方向の分布において、正の移動速度の分布範囲と負の移動速度の分布範囲の境界となる前後方向の座標とを算定し、算定した前記垂直方向の座標と算定した前記前後方向の座標とから前記ゴルフボールの回転軸の、前記左右方向からの前記前後方向の軸回りの傾きと、前記左右方向からの前記上下方向の軸回りの傾きとを算定する回転軸傾斜算定手段とを有することを特徴とするゴルフショット解析システム。
【請求項８】
請求項６記載のゴルフショット解析システムであって、
前記前後方向と前記左右方向とに垂直な方向を上下方向として、前記カメラが撮影した画像と、前記回転軸傾斜算定手段が算定した前記ゴルフボールの回転軸の傾きとより、前記ゴルフボールの前記左右方向の軸回りの回転速度をバックスピン量として算定し、前記ゴルフボールの前記上下方向の軸回りの回転速度をサイドスピン量として算定するスピン量算定手段とを有することを特徴とするゴルフショット解析システム。
【請求項９】
請求項７記載のゴルフショット解析システムであって、
前記カメラが撮影した画像と、前記回転軸傾斜算定手段が算定した前記ゴルフボールの回転軸の傾きとより、前記ゴルフボールの前記左右方向の軸回りの回転速度をバックスピン量として算定し、前記ゴルフボールの前記上下方向の軸回りの回転速度をサイドスピン量として算定し、前記ゴルフボールの前記前後方向の軸回りの回転速度をライフルスピン量として算定するスピン量算定手段とを有することを特徴とするゴルフショット解析システム。
【請求項１０】
請求項６、７、８または９記載のゴルフショット解析システムであって、
前記ゴルフボールの表面上の複数の部分の各々はゴルフボールのディンプルであることを特徴とするゴルフショット解析システム。
【請求項１１】
ボールのスピンを計測するボールスピン計測装置であって、
ボールを所定の波長帯の光で照明する照明装置と、
前記ボールの前記所定の波長帯の光による像のみを撮影するカメラと、
前記カメラが１フレームの画像を撮影する期間をフレーム期間として、前記照明装置が、第１のフレーム期間に、フレーム期間の終了直前のタイミングでの照明の点灯を行い、前記第１のフレーム期間の直後のフレーム期間である第２のフレーム期間に、フレーム期間の開始直後のタイミングでの照明の点灯を行うように前記照明装置を制御する照明制御手段と、
前記第１のフレーム期間に前記カメラが撮影した画像に含まれるボールの像と、その直後の、前記第２のフレーム期間に前記カメラが撮影した画像に含まれるボールの像との相違に基づいて、ボールのスピンを計測するスピン計測部とを有することを特徴とするボールスピン計測装置。
【請求項１２】
ボールのスピンを計測するボールスピン計測装置であって、
ボールを撮影するカメラと、
前記カメラが撮影した画像から、前記ボールの表面上の複数の部分の画像の第１の方向の移動速度の前記画像の前記第１の方向と垂直な第２の方向の分布において、正の移動速度の分布範囲と負の移動速度の分布範囲の境界となる前記第２の方向の座標軸上の座標を算定し、算定した座標から前記ボールの回転軸の、前記カメラの光軸方向からの、前記画像の前記第１の方向の軸回りの傾きを算定する回転軸傾斜算定手段とを有することを特徴とするボールスピン計測装置。
【請求項１３】
ボールのスピンを計測するボールスピン計測装置であって、
ボールを撮影するカメラと、
前記カメラが撮影した画像から、前記ボールの表面上の複数の部分の画像の第１の方向の移動速度の前記画像の前記第１の方向と垂直な第２の方向の分布において、正の移動速度の分布範囲と負の移動速度の分布範囲の境界となる前記第２の方向の座標軸上の座標と、前記ボールの表面上の複数の部分の画像の前記第２の方向の移動速度の前記画像の前記第１の方向の分布において、正の移動速度の分布範囲と負の移動速度の分布範囲の境界となる前記第１の方向の座標軸上の座標とを算定し、算定した座標から前記ボールの回転軸の傾きを算定する回転軸傾斜算定手段とを有することを特徴とするボールスピン計測装置。
【請求項１４】
ゴルフショットを撮影するゴルフショット撮影装置であって、
ゴルフショットが行われるエリアである撮像エリアを撮影するカメラと、
前記撮像エリアを照明する照明パネルとを備え、
前記照明パネルは、複数のＬＥＤと、各ＬＥＤに一対一に対応して設けた、対応するＬＥＤの光を前記撮像エリアに集光する複数のレンズとを備え、
前記ＬＥＤと当該ＬＥＤに対応するレンズとは、照明パネルの周縁に近いＬＥＤほど、ＬＥＤの光軸がレンズの光軸に対して照明パネルの周縁方向に大きくずれるように配置されていることを特徴とするゴルフショット撮影装置。
【請求項１５】
請求項１、２、３または１４記載のゴルフショット撮影装置と、
前記カメラが撮影した画像を解析して、撮像エリアで行われたゴルフショットの属性を算定する解析装置とを備えたことを特徴とするゴルフショット解析システム。
【発明の詳細な説明】
【技術分野】
【０００１】
本発明は、主として、プレイヤのゴルフショットのようすを撮影した画像より、ユーザのゴルフショットの特性を解析する技術に関するものである。
【背景技術】
【０００２】
プレイヤのゴルフショットのようすを撮影した画像より、ユーザのゴルフショットの特性を解析する技術としては、複数台のカメラでプレイヤのゴルフショットのようすを撮影し、各カメラで撮影した画像を用いて、ゴルフボールやクラブヘッドの三次元の挙動を解析するシステムが知られている（たとえば、特許文献１、２、３）。
【０００３】
また、複数台のカメラでプレイヤのゴルフショットのようすを撮影し、各カメラで撮影した画像からゴルフボールの表面のマークの三次元座標を算出すると共に、マークの三次元座標の変化よりゴルフボールの回転速度や回転軸の傾きを計測するシステムも知られている（たとえば、特許文献１）。
【先行技術文献】
【特許文献】
【０００４】
【特許文献１】特開２００３-１１７０４４号公報
【特許文献２】特開２０１６-８６９５２号公報
【特許文献３】特開２０１２-１７０５３２号公報
【発明の概要】
【発明が解決しようとする課題】
【０００５】
上述した複数台のカメラを用いてユーザのゴルフショットの特性を解析するシステムによれば、複数台のカメラを配置する必要があるため、システムが大型化、高額化してしまい易い。
【０００６】
また、上述した複数のカメラで撮影した画像からゴルフボールの表面のマークの三次元座標を算出して、ゴルフボールの回転速度や回転軸の傾きを計測する技術によれば、三次元座標演算が必要となるため、ゴルフボールの回転速度や回転軸の傾きを計測するための処理の負荷が過大となり易い。また、複数のカメラが必要となると共に、システムが大型化、高額化してしまい易い。また、スピンの計測の精度が、カメラの撮影速度によって制限されてしまうという問題もある。
【０００７】
そこで、本発明は、ユーザのゴルフショットの特性を解析するシステムを、小型、または、低コストに構成することを課題とする。
また、併せて、本発明は、より簡易な構成、または、処理によってゴルフボールのスピンを計測することを課題とする。
また、併せて、本発明は、ゴルフボールのスピンの計測の精度を向上することを課題とする。
【課題を解決するための手段】
【０００８】
前記課題達成のために、本発明は、ゴルフショットを撮影するゴルフショット撮影装置として、撮像面に結像された画像を撮影するカメラと、当該カメラの撮像面の第１の領域に、ゴルフショットが行われるエリアである撮像エリアを第１の方向から観察した像を結像し、前記カメラの撮像面の前記第１の領域と異なる領域である第２の領域に、前記撮像エリアを前記第１の方向と異なる方向である第２の方向から観察した像を結像する光学系とを備えたゴルフショット撮影装置を提供する。
【０００９】
また、前記課題達成のために、本発明は、ゴルフショットを撮影するゴルフショット撮影装置に、撮像面に結像された画像を撮影するカメラと、光路変更光学系を備えものである。ここで、前記カメラは、当該カメラに直接入射する、ゴルフショットが行われるエリアである撮像エリアの像が、当該カメラの撮像面の第１の領域に結像するように配置されており、前記光路変更光学系は、前記カメラの位置と異なる位置に入射する、前記撮像エリアの像の光路を、当該像が、前記カメラの撮像面の前記第１の領域と異なる領域である前記第２の領域に結像するように変更するものである。
【００１０】
ここで、以上のような、ゴルフショット撮影装置においては、前記第１の領域を前記撮像面の下半分の領域と上半分の領域とのうちの一方の領域とし、前記第２の領域は前記撮像面の下半分の領域と上半分の領域とのうちの前記第１の領域でない方の領域としてもよい。
【００１１】
以上のようなゴルフショット撮影装置によれば、複数のカメラを用いることなく単一のカメラを用いて、異なる方向から撮像エリアを撮影することができるので、このようなゴルフショット撮影装置を用いることにより、ユーザのゴルフショットの特性を解析するシステムを、小型、または、低コストに構成することができる。
【００１２】
また、本発明は、併せて、ゴルフショットを撮影するゴルフショット撮影装置として、ゴルフショットが行われるエリアである撮像エリアを撮影するカメラと、前記撮像エリアを照明する照明パネルとを備えたゴルフショット撮影装置も提供する。ここで、前記照明パネルは、複数のＬＥＤと、各ＬＥＤに一対一に対応して設けた、対応するＬＥＤの光を前記撮像エリアに集光する複数のレンズとを備え、前記ＬＥＤと当該ＬＥＤに対応するレンズとは、照明パネルの周縁に近いＬＥＤほど、ＬＥＤの光軸がレンズの光軸に対して照明パネルの周縁方向に大きくずれるように配置されている。
【００１３】
このようなゴルフショット撮影装置によれば、ゴルフショットが行われるエリアである撮像エリアを比較的均一に照明することができる。
また、本発明は、以上のゴルフショット撮影装置と、前記カメラが撮影した画像を解析して、撮像エリアで行われたゴルフショットの属性を算定する解析装置とを備えたゴルフショット解析システムも提供する。
【００１４】
また、前記課題達成のために、本発明は、ゴルフショットによるゴルフボールの挙動の属性を計測するゴルフショット解析システムに、ゴルフショットが行われるエリアである前記撮像エリアを所定の波長帯の光で照明する照明装置と、前記撮像エリアの前記所定の波長帯の光による像のみを撮影するカメラと、前記カメラが１フレームの画像を撮影する期間をフレーム期間として、前記照明装置が、第１のフレーム期間に、フレーム期間の終了直前のタイミングでの照明の点灯を行い、前記第１のフレーム期間の直後のフレーム期間である第２のフレーム期間に、フレーム期間の開始直後のタイミングでの照明の点灯を行うように前記照明装置を制御する照明制御手段と、前記第１のフレーム期間に前記カメラが撮影した画像に含まれるゴルフボールの像と、その直後の、前記第２のフレーム期間に前記カメラが撮影した画像に含まれるゴルフボールの像との相違に基づいて、ゴルフボールのスピンを計測するスピン計測部とを備えたものである。
【００１５】
ここで、このようなゴルフショット解析システムには、さらに、前記カメラによって１フレーム期間離れたフレーム期間に撮影された画像に含まれるゴルフボールの像の位置の相違に基づいて、前記ゴルフボールの移動速度と移動方向を計測する移動計測部を設けるようにしてもよい。
【００１６】
このようなゴルフショット解析システムによれば、カメラのフレーム期間よりも短い時間間隔で撮影した画像を用いてゴルフボールのスピンを計測することができるので、より精度の良いスピンの計測を行うことができるようになる。
【００１７】
また、前記課題達成のために、本発明は、ゴルフショットによるゴルフボールのスピンを計測するゴルフショット解析システムに、水平、かつ、ゴルフボールの軌道がストレートであると見なす方向を前後方向、水平かつ前記前後方向と垂直な方向を左右方向として、ゴルフショットのようすを、左右方向から撮影するカメラと、前記カメラが撮影した画像から、前記ゴルフボールの表面上の複数の部分の前後方向の移動速度の垂直方向の分布において、正の移動速度の分布範囲と負の移動速度の分布範囲の境界となる垂直方向の座標を算定し、算定した座標から前記ゴルフボールの回転軸の、前記左右方向からの前記前後方向の軸回りの傾きを算定する回転軸傾斜算定手段とを設けたものである。
【００１８】
ここで、このようなゴルフショット解析システムには、さらに、前記前後方向と前記左右方向とに垂直な方向を上下方向として、前記カメラが撮影した画像と、前記回転軸傾斜算定手段が算定した前記ゴルフボールの回転軸の傾きとより、前記ゴルフボールの前記左右方向の軸回りの回転速度をバックスピン量として算定し、前記ゴルフボールの前記上下方向の軸回りの回転速度をサイドスピン量として算定するスピン量算定手段を設けるようにしてもよい。
【００１９】
また、前記課題達成のために、本発明は、ゴルフショットによるゴルフボールのスピンを計測するゴルフショット解析システムに、水平、かつ、ゴルフボールの軌道がストレートであると見なす方向を前後方向、水平かつ前記前後方向と垂直な方向を左右方向、前記前後方向と前記左右方向とに垂直な方向を上下方向として、ゴルフショットのようすを、左右方向から撮影するカメラと、前記カメラが撮影した画像から、前記ゴルフボールの表面上の複数の部分の前後方向の移動速度の垂直方向の分布において、正の移動速度の分布範囲と負の移動速度の分布範囲の境界となる垂直方向の座標と、前記ゴルフボールの表面上の複数の部分の垂直方向の移動速度の前後方向の分布において、正の移動速度の分布範囲と負の移動速度の分布範囲の境界となる前後方向の座標とを算定し、算定した前記垂直方向の座標と算定した前記前後方向の座標とから前記ゴルフボールの回転軸の、前記左右方向からの前記前後方向の軸回りの傾きと、前記左右方向からの前記上下方向の軸回りの傾きとを算定する回転軸傾斜算定手段とを設けたものである。
【００２０】
ここで、このようなゴルフショット解析システムには、さらに、前記前後方向と前記左右方向とに垂直な方向を上下方向として、前記カメラが撮影した画像と、前記回転軸傾斜算定手段が算定した前記ゴルフボールの回転軸の傾きとより、前記ゴルフボールの前記左右方向の軸回りの回転速度をバックスピン量として算定し、前記ゴルフボールの前記上下方向の軸回りの回転速度をサイドスピン量として算定するスピン量算定手段を設けるようにしてもよい。
【００２１】
ここで、以上のような回転軸の傾きを算定する各ゴルフショット解析システムにおいて、前記ゴルフボールの表面上の複数の部分の各々はゴルフボールのディンプルとしてもよい。
【００２２】
また、
これらのようなゴルフショット解析システムによれば、比較的処理負荷の大きい三次元座標演算を必要とせずに、ゴルフボールの回転軸の傾きや回転速度を計測することができるようになる。また、単一のカメラによってゴルフボールの回転軸の傾きや回転速度を計測できるので、ゴルフショット解析システムの小型化や低コスト化を実現することができる。
【００２３】
また、併せて、本発明は、以上のようなゴルフショット解析システムにおけるスピン計測の技術をボール一般に適用したボールスピン計測装置も提供する。
すなわち、本発明は、ボールのスピンを計測するボールスピン計測装置として、ボールを所定の波長帯の光で照明する照明装置と、前記ボールの前記所定の波長帯の光による像のみを撮影するカメラと、前記カメラが１フレームの画像を撮影する期間をフレーム期間として、前記照明装置が、第１のフレーム期間に、フレーム期間の終了直前のタイミングでの照明の点灯を行い、前記第１のフレーム期間の直後のフレーム期間である第２のフレーム期間に、フレーム期間の開始直後のタイミングでの照明の点灯を行うように前記照明装置を制御する照明制御手段と、前記第１のフレーム期間に前記カメラが撮影した画像に含まれるボールの像と、その直後の、前記第２のフレーム期間に前記カメラが撮影した画像に含まれるボールの像との相違に基づいて、ボールのスピンを計測するスピン計測部とを備えたボールスピン計測装置を提供する。
【００２４】
また、本発明は、ボールのスピンを計測するボールスピン計測装置として、ボールを撮影するカメラと、前記カメラが撮影した画像から、前記ボールの表面上の複数の部分の画像の第１の方向の移動速度の前記画像の前記第１の方向と垂直な第２の方向の分布において、正の移動速度の分布範囲と負の移動速度の分布範囲の境界となる前記第２の方向の座標軸上の座標を算定し、算定した座標から前記ボールの回転軸の、前記カメラの光軸方向からの、前記画像の前記第１の方向の軸回りの傾きを算定する回転軸傾斜算定手段とを備えたボールスピン計測装置を提供する。
【００２５】
また、本発明は、ボールのスピンを計測するボールスピン計測装置として、ボールを撮影するカメラと、前記カメラが撮影した画像から、前記ボールの表面上の複数の部分の画像の第１の方向の移動速度の前記画像の前記第１の方向と垂直な第２の方向の分布において、正の移動速度の分布範囲と負の移動速度の分布範囲の境界となる前記第２の方向の座標軸上の座標と、前記ボールの表面上の複数の部分の画像の前記第２の方向の移動速度の前記画像の前記第１の方向の分布において、正の移動速度の分布範囲と負の移動速度の分布範囲の境界となる前記第１の方向の座標軸上の座標とを算定し、算定した座標から前記ボールの回転軸の傾きを算定する回転軸傾斜算定手段とを備えたボールスピン計測装置を提供する。
【発明の効果】
【００２６】
以上のように、本発明によれば、ユーザのゴルフショットの特性を解析するシステムを、小型、または、低コストに構成することができるようになる。
また、本発明によれば、より簡易な構成、または、処理によってゴルフボールの回転速度や回転軸の傾きを計測することができるようになる。
また、本発明によれば、ゴルフボールのスピンの計測の精度を向上することができる。
【図面の簡単な説明】
【００２７】
【図１】本発明の実施形態に係るゴルフショット解析システムを示す図である。
【図２】本発明の実施形態に係る計測装置の構成を示す図である。
【図３】本発明の実施形態に係る計測装置の構成を示す図である。
【図４】本発明の実施形態に係るゴルフショット解析システムの機能構成を示すブロック図である。
【図５】本発明の実施形態に係るゴルフショット解析システムの撮像タイミングを示す図である。
【図６】本発明の実施形態に係る計測の手順を示す図である。
【図７】本発明の実施形態に係るスピン計測の手順を示す図である。
【図８】本発明の実施形態に係るスピン計測の手順を示す図である。
【図９】本発明の実施形態に係るスピン計測の手順を示す図である。
【図１０】本発明の実施形態に係るスピン計測の手順を示す図である。
【発明を実施するための形態】
【００２８】
以下、本発明の実施形態について説明する。
図１に、本実施形態に係るゴルフショット解析システムの構成を示す。
図示するように、ゴルフショット解析システムは、ユーザがゴルフショット動作を行うエリアである撮像エリア３の横に配置された計測装置１、計測装置１に接続されたデータ処理装置２とを備えている。
【００２９】
次に、図２ｂ１に前面側からみた計測装置１の外観を、図２ｂ２に左側面側からみた計測装置１の外観を示す。図示するように、計測装置１の前面には上下に配置した光学窓１０１、１０２が設けられている
ここで、このような計測装置１は、前面を撮像エリア３に向けて配置されており、ユーザの撮像エリア３におけるゴルフショット動作を撮影する機能と、撮像エリア３を照明する機能と、ユーザの撮像エリア３におけるゴルフショット動作時のクラブヘッドの速度を計測する機能とを備えている。
【００３０】
以下、このような各機能を担う計測装置１の構成について説明する。
まず、計測装置１の、ユーザの撮像エリア３におけるゴルフショット動作を撮影する機能を担う計測装置１の構成について説明する。
ここで、図２ａ１に前面側からみた計測装置１の内部構成を、図２ａ２に左側面側からみた計測装置１の内部構成を示す。
図示するように、計測装置１には、カメラ１１と、カメラ１１の上方に配置された第１ミラー１２と、第２ミラー１３とを収容している。また、カメラ１１には、対物レンズなどの結像用の光学系の他に、青色光のみを透過するバンドパス型の光学フィルタ１１１が設けられており、カメラ１１はフィルタを透過した青色光による画像を撮影する。
【００３１】
また、図示するように、カメラ１１の撮像面の下半分には撮像エリア３の像が光学窓１０１を透過して直接入射するようにカメラ１１は配置されている。また、第１ミラー１２と第２ミラー１３とは光路を変更する光学系を構成しており、光学窓１０２を透過して第１ミラー１２に入射した撮像エリア３の像が、第１ミラー１２、第２ミラー１３の順に反射して、カメラ１１の撮像面の上半分に入射するように第１ミラー１２、第２ミラー１３は配置されている。
【００３２】
したがって、カメラ１１が撮影した画像１００は、図２ｂに示すように、カメラ１１の位置から直接観察した撮像エリア３の画像を下半分の画像１０１として、第１ミラー１２の位置から観察した撮像エリア３の画像を上半分の画像１０２として含むものとなる。そして、カメラ１１が撮影した画像１００の下半分の画像１０１と上半分の画像１０２は異なる角度から撮像エリア３を撮影したものとなる。すなわち、第１ミラー１２はカメラ１１よりも上方に配置されているので、カメラ１１が撮影した画像１００の上半分の画像１０２は下半分の画像１０１に比べ、より上方から撮像エリア３を撮影した画像となる。
【００３３】
したがって、本計測装置によれば、複数のカメラ１１を用いることなく単一のカメラ１１を用いて、異なる方向から撮像エリア３で行われるゴルフショットのようす撮影することができる。
【００３４】
次に、撮像エリア３を照明する機能を担う計測装置１の構成について説明する。
ここで、図３ａ１に前面側からみた計測装置１の内部構成を、図３ａ２に左側面側からみた計測装置１の内部構成を示す。
図示するように、計測装置１の前面の近くに、光源パネル１４１とレンズパネル１４２とよりなる照明パネル１４が配置されている。
そして、図３ｂに示すように、光源パネル１４１には、複数の青色ＬＥＤ１４１１が前方に向けて青色光を出射するように上下左右に配列されている。
また、レンズパネル１４２には、各青色ＬＥＤ１４１１に一対一に対応して設けた複数の平凸のレンズ１４２１が、各レンズ１４２１を対応する青色ＬＥＤ１４１１の前方に配置した形態で配列されている。そして、各レンズ１４２１の前面側は計測装置１の前面に露出しており、対応する青色ＬＥＤ１４１１から出射された青色光を計測装置１の前方の撮像エリア３に集光する。
【００３５】
ここで、図３ｂに示すように、青色ＬＥＤ１４１１と当該青色ＬＥＤ１４１１に対応するレンズ１４２１との相対的な配置は、照明パネル１４の周縁に近い青色ＬＥＤ１４１１ほど、青色ＬＥＤ１４１１の光軸がレンズ１４２１の光軸に対して照明パネル１４の周縁方向に大きくずれるようにしている。
【００３６】
このように青色ＬＥＤ１４１１とレンズ１４２１とを配置することにより、図３ｃに、青色ＬＥＤ１４１１とレンズ１４２１のセットが３つである場合について模式的に示したように、撮像エリア３を均一に青色光で照明することができるようになる。
【００３７】
次に、ユーザの撮像エリア３におけるゴルフショット動作時のクラブヘッドの速度を計測する機能を担う計測装置１の構成について説明する。
図３ａ１、図３ａ２に示すように、計測装置１の前面側の下部には、レーザドップラ速度計１５が設けられており、レーザドップラ速度計１５は撮像エリア３におけるクラブヘッドの速度を計測する。
【００３８】
以下、以上のようなゴルフショット解析システムの機能構成について説明する。
図４に、ゴルフショット解析システムの機能構成を示す。
図示するように計測装置１には、上述した構成に加え、照明パネル１４による照明とカメラ１１の撮影とを同期させる同期制御部１６、カメラ１１が撮影した画像１００や、レーザドップラ速度計１５で計測した速度を表す速度データのデータ処理装置２への転送等を行う通信インタフェース１７を備えている。
【００３９】
また、データ処理装置２は、計測装置１から転送された画像や速度データの受信等を行う通信インタフェース２１、通信インタフェース２１が受信した速度データを格納する速度データメモリ２２、通信インタフェース２１が受信した画像を格納する画像メモリ２３、ヘッド計測部２４、ボール計測部２５、スピン計測部２６、表示装置２７、入力装置２８、以上各部を制御する制御部２９とを備えている。ただし、データ処理装置２はコンピュータを用いて構成してもよく、この場合、ヘッド計測部２４、ボール計測部２５、スピン計測部２６、制御部２９等は、所定のコンピュータプログラムをコンピュータが実行することにより実現されるものとしてよい。
【００４０】
このようなゴルフショット解析システムの機能構成において、計測装置１の同期制御部１６は、図５に示すように、照明パネル１４による照明とカメラ１１の撮影とを同期させる。
【００４１】
すなわち、カメラ１１の画像１フレームの撮像期間の境界を表すフレーム同期信号と同期して、同期制御部１６は、照明パネル１４をフラッシュ的に短時間点灯する。すなわち、図５におけるLED ON信号がＨの期間にのみ、照明パネル１４を点灯させる。
【００４２】
照明パネル１４の点灯タイミングは、フレーム同期信号によって区切られる時間長Ｔの期間をフレーム期間として、１フレーム期間毎に、フレーム期間の終了直前のタイミングでの点灯と、フレーム期間の開始直後のタイミングでの点灯を、交互に繰り返す。
【００４３】
すなわち、たとえば、奇数番目のフレーム期間では、フレーム期間の終了直前のタイミングで照明パネル１４をフラッシュ的に短時間点灯し、偶数番目のフレーム期間では、フレーム期間の開始直後のタイミングで照明パネル１４をフラッシュ的に短時間点灯する。
【００４４】
ここで、上述のようにカメラ１１は青色光の画像のみを撮影するので、青色光による照明を行う照明パネル１４が点灯している期間にのみ、カメラ１１には撮像エリア３の画像が撮像される。
【００４５】
そして、図５に示したタイミングで照明パネル１４を点灯させることにより、撮像時刻の時間差の時間長が、フレーム期間に比べて充分に小さい時間長TLとなる２フレームの画像のセットが、２フレーム期間毎に得られることとなる。
【００４６】
次に、ボール計測部２５は、図６に示すように、画像メモリ２３に格納されたカメラ１１が撮影した１フレームおきの画像、すなわち、奇数フレームの画像か偶数フレームの画像のいずれかを対象画像とし、対象画像を用いて、ゴルフボールの移動速度や移動方向を求めるボール計測を行う。なお、対象画像の時間間隔は、２フレーム期間で一定となる。
【００４７】
すなわち、ボール計測部２５は、各対象画像の下半分の画像１０１と上半分の画像１０２とのそれぞれについて、画像中のゴルフボールの領域を抽出し、抽出したゴルフボールの重心の位置を算定する。そして、下半分の画像１０１中の重心の位置と、上半分の画像１０２中の重心の位置とから、ステレオ法によって、ゴルフボールの重心の位置の三次元座標を算定する。
【００４８】
なお、上述のようにカメラ１１が撮影した画像１００の下半分の画像１０１と上半分の画像１０２とは、異なる撮影方向から撮像エリア３を撮影した画像であるので、下半分の画像１０１と上半分の画像１０２から撮影エリア３内にあるゴルフボールの三次元座標をステレオ法によって算定することができる。
【００４９】
そして、各対象画像について算定した三次元座標の推移から、ゴルフボールの速度（初速）と、仰角（打ち出し角）や左右方向の角度（フック方向の角度、スライス方向の角度）などの移動方向とを算定する。
【００５０】
さて、ここで、以上のようなボール計測において、上述した時間長TLのような時間差があまりに小さい撮影時刻の画像を用いてゴルフボールの速度や移動方向を算出すると、画像間のゴルフボールの移動量が小さすぎて適正な算出を行えない場合がある。しかし、本実施形態では、撮影時刻の時間差が２フレーム期間となる画像を用いてゴルフボールの速度や移動方向を算出するので、ゴルフボールの速度や移動方向を良好に算出することができる。
【００５１】
次に、ヘッド計測部２４は、速度データメモリ２２に格納された速度データから、クラブヘッドの速度を算定したり、上述した対象画像の下半分の画像１０１と上半分の画像１０２のそれぞれについて、画像中のクラブヘッドを認識して、クラブヘッドのフェース面の姿勢（ロフト角方向の角度、ライ角方向の角度、フェース角など）を算定する処理等を行う。
【００５２】
そして、スピン計測部２６は、図６に示すように、画像メモリ２３に格納された、撮像時刻の時間差（照明パネル１４の点灯の時間差）の時間長が時間長TLとなる隣接する２フレームの画像のセットを対象セットとして、ゴルフボールのスピンを計測するスピン計測を行う。
【００５３】
すなわち、スピン計測部２６は、まず、対象セットの二つの画像の下半分の画像１０１間での、ゴルフボールの各ディンプルの移動ベクトルを求める。
たとえば、対象セットの撮影時刻の時間差が時間長TLである二つの画像の下半分の画像１０１のうちの、撮影時刻が前の画像に含まれているゴルフボールの画像が図７ａ１に示すものであり、撮影時刻が後の画像に含まれているゴルフボールの画像が図７ａ２に示すものである場合には、図７ｂに、いくつかのディンプルについて例示したように、各ディンプルについて、当該ディンプルの移動方向と移動距離を表す、図中に矢印で示した移動ベクトルを算出する。
【００５４】
なお、図７ａ２、ｂでは、便宜上、対象セットの二つの画像の下半分の画像１０１のうちの撮影時刻が後の画像に含まれているゴルフボールの画像を、撮影時刻が前の画像に含まれているゴルフボールの画像との区別のために点線で示している。
【００５５】
ここで、二つの画像の撮像時刻の時間差が大きくなると、画像間のゴルフボールのディンプルの移動量も大きくなり、ディンプルの追跡、すなわち、二つの画像中のいずれのディンプルが同じディンプルであるのかの識別が困難となり、移動ベクトルを正しく算出できなくなることがある。
【００５６】
しかし、本実施形態では、撮像時刻の時間差（照明パネル１４の点灯の時間差）が、カメラ１１のフレーム期間Ｔに対して充分に短い時間長TLとなる２つの画像のセットを用いて移動ベクトルを算出するので、ディンプルの追跡を良好に行って、移動ベクトルを適正に算出することができる。
【００５７】
さて、次にスピン計測部２６は、ゴルフボール２００の回転軸の向きと、回転速度を求める。
まず、ゴルフボール２００のライフルスピンはほとんど生じないので、ゴルフボール２００のライフルスピンを無視して、簡易的に、ゴルフボール２００のバックスピンとサイドスピンの回転速度を求める場合の、スピン計測部２６の動作について説明する。
【００５８】
さて、この場合、図７ｃに示すように、画像の上下方向の軸をｚ軸、画像の左右方向の軸をｙ軸、画像中のゴルフボールの中心を原点oとして、算出した各ディンプルの移動ベクトルをｚ方向の移動ベクトルとｙ方向の移動ベクトルに分解し、分解したｙ方向の移動ベクトルから、各ディンプルのｙ方向の移動速度Vyを算定する。
【００５９】
なお、実空間の水平な一方向を基準方向として、カメラ１１で撮影される画像の左右方向が実空間の基準方向に一致し、カメラ１１で撮影される画像の上下方向が実空間の上下方向に一致するように計測装置１は配置する。また、実空間の基準方向は、水平かつ、基準方向にゴルフショットされたゴルフボールが進んだ場合に、ゴルフボールの軌道がストレートであると見なす方向、すなわち、プレイヤがスクエアスタンスをとったときの、左右の足を結ぶラインに平行な方向のうちの、ゴルフボールが打ち出される側の方向とする。
【００６０】
そして、図７ｄに示すように、ｚ方向の座標がznであるディンプルの移動速度Vyは、座標znに位置する移動速度Vyであるものとして、各ディンプルのｙ方向の移動速度Vyのｚ方向の分布を求める。
【００６１】
そして、次に、求めたｙ方向の移動速度Vyのｚ方向の分布より、ゴルフボールの回転軸の傾きを算出する。
ここで、図８ａ１に示すように、ｚ軸とｙ軸に垂直なｘ軸がゴルフボール２００の回転軸Ｊである場合、図８ａ２に示すように、カメラ１１によって撮影されるゴルフボール２００の表面における回転軸Ｊの位置はゴルフボール２００の中心となり、図８ａ３に示すように、ｙ方向の移動速度Vyのｚ方向の分布は、ｚ座標が原点oより大きい範囲の移動速度Vyと、ｚ座標が原点oよりり小さい範囲の移動速度Vyとで、移動速度Vyの正負が逆となる分布となる。
【００６２】
すなわち、ゴルフボール２００の回転が正のバックスピンの成分のみからなる場合には、図８ａ３に示すように、ｚ座標が原点oより大きい範囲の移動速度Vyは負となり、ｚ座標が原点oより小さい範囲の移動速度Vyは正となる。
【００６３】
いま、ｘ軸がゴルフボール２００の回転軸Ｊである場合の原点ｏのように、移動速度Vyのｚ方向の分布上、そのｚ座標値より大きいｚ座標の範囲と、そのｚ座標値より小さいｚ座標の範囲とで、移動速度Vyの正負が逆となるｚ座標値を境界座標と呼ぶこととする。
【００６４】
すると、この境界座標は、上述のようにゴルフボール２００のｙ軸回りの回転（ライフルスピン）を無視し、ゴルフボール２００の回転軸Ｊのｚ軸回りのｘ軸からの回転角は常に０と仮定すると、ゴルフボール２００の回転軸Ｊのｙ軸回りの回転角に伴って変化する。
【００６５】
さて、たとえば、図８ｂ１、ｃ１に示すように、ゴルフボール２００の回転軸Ｊがｘ軸をｙ軸回りにθ回転させた軸である場合には、カメラ１１によって撮影されるゴルフボール２００の表面における回転軸Ｊの位置は、図８ｂ２、ｃ２に示すように、ゴルフボール２００の半径と、θに応じた距離、ゴルフボール２００の中心から上下にずれた位置となる。そして、これにより、図８ｂ３、ｃ３に示すように、境界座標ｚｊは原点oからゴルフボール２００の半径とθに応じた距離ｄｚ、原点oからずれたｚ座標値となる。
【００６６】
そして、ゴルフボール２００の半径ｒは既知であるので、この境界座標ｚｊの原点oからの距離ｄｚより、ｄｚ＝ｒ×sinθに従ってゴルフボール２００の回転軸Ｊのｙ軸回りのｘ軸からの回転角θが求まる。
【００６７】
そこで、スピン計測部２６は、ｙ方向の移動速度Vyのｚ方向の分布を求めたならば、当該分布より、そのｚ座標値を境界として移動速度Vyの正負が逆となる境界座標ｚｊを求め、境界座標ｚｊの原点oからの距離ｄｚを算出し、算出した距離ｄｚより、ゴルフボール２００の回転軸Ｊのｙ軸回りのｘ軸からの回転角θを、ゴルフボール２００の回転軸Ｊのｙ軸回りの傾きとして求める。
【００６８】
ここで、ゴルフボール２００の回転軸Ｊのｙ軸回りの傾きθが定まれば、各ディンプルと回転軸Ｊの位置関係も定まる。そこで、次に、スピン計測部２６は、ディンプルの移動ベクトルから、回転軸Ｊ回りの回転速度を求める。そして、回転軸Ｊ回りの回転速度を、回転軸Ｊの傾きに基づいて、図８ｄに示すゴルフボール２００のｘ軸回りの回転Ｒｘ（バックスピン）の回転速度と、ｚ軸回りの回転Ｒｚ（サイドスピン）の回転速度の成分に分解することにより各回転速度を求める。
【００６９】
以上、ゴルフボール２００のライフルスピン（ｙ軸回りの回転）を無視して、簡易的に、ゴルフボール２００のバックスピン（ｘ軸回りの回転）とサイドスピン（ｚ軸回りの回転）の回転速度を求める場合の、スピン計測部２６の動作について説明した。
【００７０】
次に、ゴルフボール２００のライフルスピン（ｙ軸回りの回転）も含めて、ゴルフボール２００のゴルフボール２００の回転速度を求める場合のスピン計測部２６の動作について説明する。
【００７１】
この場合、上述のように算出した図９ａに示す各ディンプルの移動ベクトルをｚ方向の移動ベクトルとｙ方向の移動ベクトルに分解し、分解したｙ方向の移動ベクトルから、各ディンプルのｙ方向の移動速度Vyを算定し、分解したz方向の移動ベクトルから、各ディンプルのz方向の移動速度Vzを算定しする。
【００７２】
そして、図９ｂに示すように、ｚ方向の座標がznであるディンプルの移動速度Vyは、座標znに位置する移動速度Vyであるものとして、各ディンプルのｙ方向の移動速度Vyのｚ方向の分布を求める。
【００７３】
また、図９ｃに示すように、y方向の座標がynであるディンプルの移動速度Vzは、座標ynに位置する移動速度Vzであるものとして、各ディンプルのz方向の移動速度Vzのy方向の分布を求める。
【００７４】
そして、次に、移動速度Vyのｚ方向の分布上、そのｚ座標値より大きいｚ座標の範囲と、そのｚ座標値より小さいｚ座標の範囲とで、移動速度Vyの正負が逆となるｚ座標値をz境界座標と呼び、移動速度Vzのy方向の分布上、そのy座標値より大きいy座標の範囲と、そのy座標値より小さいy座標の範囲とで、移動速度Vzの正負が逆となるy座標値をy境界座標と呼ぶこととして、カメラ１１によって撮影されるゴルフボール２００の表面における回転軸Ｊの位置（ｙj、ｚj）を、（ｙj、ｚj）＝（y境界座標、y境界座標）により求める。
【００７５】
ここで、y境界座標は、z境界座標は、図９、図１０ａ、ｂに示すように、ゴルフボール２００の回転軸Ｊのｙ軸回りの回転角に伴って変化し、y境界座標は、図１０ａ、ｂに示すように、ゴルフボール２００の回転軸Ｊのz軸回りの回転角に伴って変化する。
【００７６】
そこで、次に、ゴルフボール２００の半径ｒは既知であるので、ｚｊの原点oからの距離ｄｚより、ｄｚ＝ｒ×sinθに従ってゴルフボール２００の回転軸Ｊのｙ軸回りのｘ軸からの回転角θを求め、yｊの原点oからの距離ｄyより、ｄy＝ｒ×sinφに従ってゴルフボール２００の回転軸Ｊのｚ軸回りのｘ軸からの回転角φを求める。
【００７７】
ここで、ゴルフボール２００の回転軸Ｊのｙ軸回りの傾きθとｚ軸回りの傾きφからゴルフボール２００の回転軸Ｊの傾きが三次元的に定まり、回転軸Ｊの傾きが定まれば、各ディンプルと回転軸Ｊの位置関係も定まる。そこで、次に、スピン計測部２６は、ディンプルの移動ベクトルから、回転軸Ｊ回りの回転速度を求める。そして、回転軸Ｊ回りの回転速度を、回転軸Ｊの傾きに基づいて、図１０ｃに示す、ゴルフボール２００のｘ軸回りの回転Ｒｘ（バックスピン）の回転速度と、ｚ軸回りの回転Ｒｚ（サイドスピン）の回転速度と、y軸回りの回転Ｒy（ライフルスピン）の回転速度の成分に分解することにより、各回転速度を算定する。
【００７８】
以上、ゴルフボール２００のライフルスピン（ｙ軸回りの回転）も含めて、ゴルフボール２００のゴルフボール２００の回転速度を求める場合のスピン計測部２６の動作について説明した。
【００７９】
さて、次に、制御部２９は、以上のようにしてカメラ１１で撮影された画像や、ボール計測部２５で計測されたゴルフボール２００の速度や移動方向や、ヘッド計測部２４で計測されたクラブヘッドのフェース面の姿勢や、スピン計測部２６で計測されたスピン（回転軸Ｊの傾き、バックスピンの回転速度、サイドスピンの回転速度、ライフルスピンの回転速度）を表示装置２７に表示する処理などを行う。
【００８０】
以上、本発明の実施形態について説明した。
なお、本実施形態で示したゴルフボール２００を計測する技術は、ゴルフボール２００以外のボールのスピンを計測する場合について同様に適用可能である。
【符号の説明】
【００８１】
１…計測装置、２…データ処理装置、３…撮像エリア、１１…カメラ、１２…第１ミラー、１３…第２ミラー、１４…照明パネル、１５…レーザドップラ速度計、１６…同期制御部、１７…通信インタフェース、２１…通信インタフェース、２２…速度データメモリ、２３…画像メモリ、２４…ヘッド計測部、２５…ボール計測部、２６…スピン計測部、２７…表示装置、２８…入力装置、２９…制御部、１０１…光学窓、１０２…光学窓、１１１…光学フィルタ、１４１…光源パネル、１４２…レンズパネル、２００…ゴルフボール、１４１１…青色ＬＥＤ、１４２１…レンズ。
【図１】
2019054951.tif 000003
【図２】
2019054951.tif 000004
【図３】
2019054951.tif 000005
【図４】
2019054951.tif 000006
【図５】
2019054951.tif 000007
【図６】
2019054951.tif 000008
【図７】
2019054951.tif 000009
【図８】
2019054951.tif 000010
【図９】
2019054951.tif 000011
【図１０】
2019054951.tif 000012